(57)【要約】      （修正有）【課題】着用者が着用時に受ける不快感が生じ難く、また、着用者の足の甲に痛みを生じ難い和装用靴下を提供する。【解決手段】爪先部分が親指を入れる親指袋と他の四指を入れる四指袋とに分離している足袋とともに着用する和装用靴下であり、該和装用靴下は爪先部分が親指を入れる親指袋１１と他の四指を入れる四指袋１２とに分離しており、和装用靴下の甲１３にはクッション部１４が形成されている。【選択図】図１
0003206805.tif 000002
【実用新案登録請求の範囲】
【請求項１】
爪先部分が親指を入れる親指袋と他の四指を入れる四指袋とに分離している足袋とともに着用する靴下であり、該靴下の爪先部分が親指を入れる親指袋と他の四指を入れる四指袋とに分離しており、該靴下の甲にはクッション部が形成されていることを特徴とする和装用靴下
【請求項２】
前記クッション部が、和装用靴下の編成時に添糸編みにより糸を足して形成されていることを特徴とする請求項１に記載の和装用靴下。
【請求項３】
前記クッション部の形状が、円形、菱形、楕円形、長方形の何れかであることを特徴とする請求項１または２に記載の和装用靴下。
【請求項４】
パンテイ部を備える和装用靴下において、和装用靴下のパンティ部が、ダブルウェルト部分の長さを長く取り、股下近く迄の長さとしているとともに、靴下の爪先部分が親指を入れる親指袋と他の四指を入れる四指袋とに分離しており、該靴下の甲にはクッション部が形成されていることを特徴とする和装用靴下。
【請求項５】
前記パンティ部の前側にマチがあることを特徴とする請求項４に記載の和装用靴下。
【考案の詳細な説明】
【技術分野】
【０００１】
本考案は、和装時に足袋とともに着用する和装用靴下に関する。より詳しくは、本考案は、爪先部分が親指を入れる親指袋と他の四指を入れる四指袋とに分離しており、和装時に足袋とともに着用する和装用靴下に関する。
【背景技術】
【０００２】
お茶会や、日本舞踊等においては和装する（着物を着る）ことが多い。従来から、和装時には、素足に足袋を履くことが行われている。しかし、寒冷期に、素足に足袋を履いただけでは寒い。
【０００３】
和装時に、着物の下にパンティストッキングやハイソックスを履き、パンティストッキングやハイソックスの足先に足袋を履くことが寒さ対策のひとつとして行われている。
【０００４】
しかし、この場合に、従来のパンティストッキングやハイソックスは、先端部が円弧状に編成された筒状のものであり、その筒状の部分が指袋になっていて、親指をはじめ５本の指全てがその筒状の指袋に一緒に入るようになっている。
【０００５】
このため、従来のパンティストッキングやハイソックスの足先に足袋を履き、足袋の指股（親指袋と四指袋殿間の股状部）に草履や下駄の鼻緒を挿入して履こうとしても、履き難いし、足袋の指袋を鼻緒にしっかりと挿入できないので安全に歩行できないという問題がある。
【０００６】
また、和装時において、このようなパンティストッキングやハイソックスの上から足袋を履くことにも困難が伴い易かった。
【０００７】
このような問題や困難の解決策として、特許文献１（実用新案登録第３０４９５２８号公報）には、パンティストッキングの爪先部分を足袋のように、親指袋と四指袋とに分離して縫製することが提案されている。
【０００８】
特許文献１に提案されているようなパンティストッキングを着用すれば、草履や下駄や雪駄等が履き易くなるし、ストッキングの上から足袋や履き易くなり、また、指先にも力が入り、好ましい。
【０００９】
また、特許文献２（特開２００２−１０５７０３公報）には、パンティストッキングのように、高伸縮性のストッキングの場合には、着用しているうちに、爪先部分の伸びが大きくなっていくということがあったために、次のような問題があると記載されている。
【００１０】
爪先部分がストッキング等の端末であり、過剰な伸びを他の箇所に分散させ難いので、爪先部分が足袋状になっていると、爪先部分が伸びて、親指と第二指のつけ根にストッキング地が食い込むということがある。
【００１１】
このような食い込みがあると、親指と第二指のつけ根が痛く、履き心地が悪いという欠点が生じる。
【００１２】
このような問題の対策として、特許文献２（特開２００２−１０５７０３公報）には、ストッキングの爪先部分を低伸縮性とし、一方、爪先部分以外の他の足部分を高伸縮性とし、ストッキングの伸びを出来るだけ爪先以外の足部分で吸収するようにして、爪先部分の伸びを防止しし、これによって、親指と第二指のつけ根の痛みを防止し、ストッキングの履き心地を向上させることが提案されている。
【先行技術文献】
【特許文献】
【００１３】
【特許文献１】実用新案登録第３０４９５２８号公報
【特許文献２】特開２００２−１０５７０３公報
【考案の概要】
【考案が解決しようとする課題】
【００１４】
一般的な足袋４０の構造を図４に示す。図４において、内甲４１は甲の親指を入れる側、外甲４２の親指以外の指四本が入る側、縫目（鎌）４３は外甲と内甲の合わさる部分、尻４４はかかとの押さえ部分、底４５は足の裏に来る部分、こはぜ４６は足袋４０を履くときに、足から脱げないようにとめる為の金具、受け糸４７はこはぜを引っ掛けて留めるようになっている糸である。
【００１５】
一般的に足袋４０は、大きく分けると足の裏に来る部分である底４５と甲の部分（表地）からできており、甲の部分は親指を入れる側の内甲４１、親指以外の指四本を入れる側の外甲４２があり、外甲と内甲の合わさる部分が縫目（鎌）４３となっている。裏地４８と底４５、外甲４２、内甲４１とを合わせて仕立てられており、境目がはっきりと分かることが足袋４０の特徴である。
【００１６】
特許文献１または特許文献２に開示された和装用靴下の上に、足袋を着用したときには、特に、正座したときに、足袋中央の縫目（鎌）４３の箇所が、着用者の足の甲に食い込み、着用者に痛いとか、ゴロツキ感という不快感が生じる。
【００１７】
また、特許文献１または特許文献２に開示された和装用靴下の上に、足袋を履き、草履や下駄等の履物を履くと、履物の鼻緒が当たる着用者の足の甲が痛いという問題がある。
【００１８】
本考案は、上述したような着用者が着用時に受ける不快感が生じ難く、また、着用者の足の甲に痛みを生じ難い和装用靴下を提供することを目的とする。
【課題を解決するための手段】
【００１９】
本考案においては、爪先部分が親指を入れる親指袋と他の四指を入れる四指袋とに分離した、足袋とともに着用する靴下であり、該靴下の爪先部分が親指を入れる親指袋と他の四指を入れる四指袋とに分離しており、該靴下の甲にはクッション部が形成されていることを特徴とする和装用靴下により前記目的を達成する。
【００２０】
本考案に係る和装用靴下は、パンティストッキング（タイツ）、ストッキング、ハイソックスまたは、靴下（短靴下）等とすることができる。
【００２１】
本考案においては、前記クッション部が、和装用靴下の編成時に添糸編みにより糸を足して形成されていてもよい。
【００２２】
また、本考案においては、前記クッション部の形状が、円形、菱形、楕円形、長方形の何れかであってもよい。
【００２３】
通常のパンティストッキング（タイツ）においては、パンティ部の股上の長さは短くして、パンティ部を浅めにし、パンティ部の上端にはずり下がり防止のためにゴム部を形成している。これに対して、本考案に係る和装用靴下においては、パンティ部の上端にゴム部を形成せずに、パンティ部のダブルウェルト部分（すなわち、靴下の編始め部分で袋状になっている部分）の長さを長く取り、股下近く迄の長さとしていることが好ましい。このように、パンティ部を編地が二重になっている状態のダブルウェルト部分で編成すると、ダブルウェルト部分は伸縮性に富んでいるので、締め付け感がなく、身体にぴったりとフィットする。通常と異なり、ゴムなどが入っていなくとも、ずり落ちたりすることがない。
【００２４】
また、パンティストッキング（タイツ）においては、パンティ部の後側にマチがあることが通常である。これに対して、本考案に係る和装用靴下においては、パンティ部の前側にマチがあってもよい。このマチもダブルウェルト部分を使用することが好ましい。パンティ部の前側にマチがあると、気になる下腹をゆったり引き締める感じがし、お腹はピッタリし、少し締め付けた感じがする。なお、本考案に係るパンティストッキング（タイツ）においては、ヒップアップは意図していない。
【考案の効果】
【００２５】
本考案の和装用靴下の甲にはクッション部が形成されており、草履、下駄などの鼻緒のある履物を履く際に、足袋中央の外甲表と内甲表との間の縫目（鎌）と履物の鼻緒が当たる箇所とに生じる圧迫感、ゴロツキ感を軽減し、心地好い履き心地を達成できる。
【００２６】
また、靴下やパンティストッキング（タイツ）の編成時に添糸編みにより糸を足してクッション部を形成することにより、ゴロツキ感を一層軽減し、更に心地好い履き心地を達成できる。
【００２７】
クッション部はクッション素材を靴下の甲に貼着することにより形成することも可能であるが、クッション素材を靴下の甲に貼着した場合は洗濯を繰り返えすとクッション素材が剥がれてくることがある。これに対して本考案のように、クッション部を添糸編みにより形成すると、単にクッション素材を貼着したものと異なり、靴下の本体を構成する編糸と一緒に編まれているので、クッション部は洗濯を繰り返しても剥離したりしない。
【００２８】
更に、パンティ部のダブルウェルト部分の長さを長く取り、股下近く迄の長さとして、二重になっているダブルウェルト部分で編成していると、通常と異なりゴムなどが入っておらず身体にぴったりと合い伸び易い。
【００２９】
パンティ部の前側にマチがあると、気になる下腹をゆったり引き締める感じとなり、お腹がピッタリとする。
【図面の簡単な説明】
【００３０】
【図１】図１（ａ）はパンティストッキングに実施した実施例の正面図であり、図１（ｂ）はその背面図である。
【図２】ハイソックスに実施した実施例の正面図である。
【図３】靴下（短靴下）に実施した実施例の正面図である。
【図４】足袋の構造を示す斜視図である。
【考案を実施するための形態】
【実施例】
【００３１】
本考案の靴下は主として、爪先部分が親指を入れる親指袋と他の四指を入れる四指袋とに分離している足袋の下に着用する和装用靴下、すなわち、素足の上に本考案の和装用靴下を着用し、その後に足袋を履くものを想定しているが、足袋を履かない場合でも、草履や下駄を履く場合には本考案の靴下を着用するのが適している。本考案の靴下を着用することにより、草履や下駄の鼻緒が足に当っても、足が痛くならない。以下、図面に示した実施例に基いて本考案を詳細に説明する。
【００３２】
図１は本考案の靴下の一実施例であり、靴下の足部１、脚部２およびパンティ部３からなるパンティストッキングの形態をしている。
【００３３】
足部１の爪先部分は親指を入れる親指袋１１と他の四指を入れる四指袋１２とに分離している。足部１の甲１３には本考案のクッション部１４が形成されている。
【００３４】
クッション部１４は、和装用靴下の編成時に添糸編みにより、本体（すなわち足部１と脚部２）を編成する編糸にこれより太い編糸を添えて一緒に編込んで編成することにより形成されている。この場合、クッション部１４と甲１３との境界において添え糸をカットすることが好ましい（カットボス）。
【００３５】
図１に示した実施例では、クッション部１４の形状が菱形であるが、この形状に限られず円形、楕円形、長方形等の形状としてもよい。クッション部１４の大きさは長さ方向では甲１３の半分以上な長さを有し、その幅は甲１３の幅と同程度とする。このような大きさとすると、本考案の和装用靴下を着用して、その上に足袋を履いた場合、正座してもクッション部１４があるため、足袋の中央の縫目の当りが弱まり、痛いとか不快感が生じない。また、草履や下駄等を履いた場合でも、クッション部１４の幅が広いので鼻緒による痛みが生じ難い。
【００３６】
図１に示した実施例でパンティ部３は従来のパンティストッキングと同様に、２本の長い靴下の上部３１、３２に長さ方向の切り込みをそれぞれ入れて切り込みした箇所を互いに縫い合わせる（縫い目３５）ことにより形成されるものである。通常のパンティストッキング（タイツ）では、マチを設ける場合は後側（背中側）に入れて、ヒップの大きさに適応させるものであるが、図１の本考案の実施例では前側にマチ３３を設けている。
【００３７】
更に、本考案では図１において斜線を施した部分は、ダブルウェルト部分（すなわち、靴下の編始め部分で袋状になっている部分）である。通常のパンティストッキング（タイツ）におけるダブルウェルト部分のウェール方向（靴下の長さ方向）における長さは３ｃｍ程度である。しかし、本考案ではパンティ部３はダブルウェルト部分（すなわち、靴下の編始め部分で袋状になっている部分）の長さを長く取り、股下３６の近く迄の長さとして、パンティ部３が形成されている。マチ３３もダブルウェルト部分を使用して形成されている。
【００３８】
足部１、脚部２およびパンティ部３を構成する編糸の糸使いは従来のパンティストッキング（タイツ）と同様に厚手のもの、薄手のもの等により種々の素材や太さの編糸を選択できる。本考案によるクッション部１４を編成するための添え糸は足部１や脚部２を構成する編糸よりも太い糸を使用すると、クッション性が高まるので好ましい。
【００３９】
糸使いの一例を挙げれば、足部１および脚部２は１５デニールのポリウレタン芯糸を２４デニールのナイロン糸でカバリングしたサポート糸を使用、クッション部１４の添え糸として７０デニールのナイロン糸２本を撚り合わせた１４０デニールの双糸を使用、パンティ部３は４０デニールのナイロン糸と、１５デニールのポリウレタン芯糸を２４デニールのナイロン糸でカバリングしたサポート糸とを交互に使用して編成した〔なお、１デニールは約１．１ｄｔｅｘ（デーテックス）〕。
【００４０】
また、編組織は平編に限定されず、適宜の編組織で使用できる。
【００４１】
図２には本考案のハイソックスの一実施例を示した。足部１の爪先部分は親指を入れる親指袋１１と他の四指を入れる四指袋１２とに分離している。足部１の甲１３には本考案のクッション部１４が形成されている。図２に示した実施例ではクッション部１４の形状が楕円形であり、添え糸編みに形成されている。
【００４２】
編糸の素材、太さおよび編組織は先に説明したように特に限定されない。例えば、ハイソックスを編成する場合の糸使いの一例として、足部１および脚部２は表糸が１７７デニールの綿糸で裏糸が２０デニールのポリウレタンの芯糸を７５デニールのポリエステル糸でカバリングしたＦＴＹを使用し、クッション部１４の添え糸として１００デニールのナイロン糸２本を撚り合わせた２００デニールの双糸を使用する。
【００４３】
図３には本考案の短靴下（ソックス）の一実施例を示した。図３の実施例ではクッション部１４の形状が長方形である。
クッション部はハイソックス、短靴下（ソックス）共に、長さ方向では甲の半分以上の長さ、幅方向では、甲の幅と同じ程度とする。
【符号の説明】
【００４４】
１  足部
２  脚部
３  パンティ部
１１  親指袋
１２  四指袋
１３  足部１の甲
１４  クッション部
【図１】
0003206805.tif 000003
【図２】
0003206805.tif 000004
【図３】
0003206805.tif 000005
【図４】
0003206805.tif 000006